(57)【要約】【課題】玩具等の物品を入れるための収納用ケースであって、中身の玩具等の物品を取り出した後はブロック玩具や物入れなどとして利用できようにする。【解決手段】１対のケース構成部材を脱着可能に連結することによりケース本体が構成されるカプセル状のケースであって、前記ケース本体の両端又は両側に直列連結部が設けられるとともに、好ましくはケース本体の外周に並列連結部が設けられ、前記直列連結部と並列連結部を介して複数のケースを直列状及び並列状に連結できるようにした。或いは、両ケース構成部材の外側の略中央部に、互いを連結できる連結部が設けられ、この連結部を介して両ケース構成部材を逆向きに連結し、一方のケース構成部材を台座とし、他方のケース構成部材を容器部とする物入れとして利用できるようにした。【選択図】      図１
2004149216.tif 000002
【特許請求の範囲】
【請求項１】
１対のケース構成部材を脱着可能に連結することによりケース本体が構成されるカプセル状のケースであって、
前記ケース本体の両端又は両側に直列連結部が設けられ、該直列連結部を介して複数のケースを直列状に連結できるようにしたことを特徴とする玩具等の物品収納用ケース。
【請求項２】
１対のケース構成部材を脱着可能に連結することによりケース本体が構成されるカプセル状のケースであって、
前記ケース本体の外周に並列連結部が設けられ、該並列連結部を介して複数のケースを並列状に連結できるようにしたことを特徴とする玩具等の物品収納用ケース。
【請求項３】
１対のケース構成部材を脱着可能に連結することによりケース本体が構成されるカプセル状のケースであって、
前記ケース本体の両端又は両側に直列連結部が設けられるとともに、ケース本体の外周に並列連結部が設けられ、前記直列連結部と並列連結部を介して複数のケースを直列状及び並列状に連結できるようにしたことを特徴とする玩具等の物品収納用ケース。
【請求項４】
ケース本体の両端又は両側に設けられた直列連結部のうち、一方の直列連結部が雄部であり、他方の直列連結部が前記雄部を嵌め込むことができる雌部であり、該雌部と前記雄部を脱着可能に連結できるようにしたことを特徴とする請求項１又は３に記載の玩具等の物品収納用ケース。
【請求項５】
雌部はケース構成部材に突設された環状部と、該環状部の内側に設けられる突起部と、該突起部の両側から１８０°反対向きに前記環状部の内面方向に延出する１対の係止用突片とを有し、該係止用突片の先端と前記環状部の内面との間には雄部側の環状部の一部を挿脱可能に嵌挿できる隙間を有するとともに、前記係止用突片とケース構成部材の本体との間には雄部側の係止用突片を挿脱可能に嵌挿できる隙間を有し、
雄部はケース構成部材に突設された環状部と、該環状部の１８０°対向した位置の環状部内側に設けられた１対の係止用突片とを有し、該係止用突片とケース構成部材の本体との間には、雌部側の係止用突片を挿脱可能に嵌挿できる隙間を有することを特徴とする請求項４に記載の玩具等の物品収納用ケース。
【請求項６】
並列連結部がケース本体の外周に連続的に設けられる凹凸部で構成され、該凹凸部はケース本体の中心軸と略平行な凸条と、該凸条間に形成される凹溝とからなるとともに、前記凸条のケース本体側を下辺とする横断面形状は上辺側よりも下辺側が幅狭であり、前記凹溝のケース本体側を下辺とする横断面形状は下辺側よりも上辺側が幅狭であり、且つ両横断面形状は略同一形状であること特徴とする請求項２、３、４又は５に記載の玩具等の物品収納用ケース。
【請求項７】
１対のケース構成部材を脱着可能に連結することによりケース本体が構成されるカプセル状のケースであって、
両ケース構成部材の外側の略中央部には、互いを連結できる連結部が設けられ、該連結部を介して両ケース構成部材を逆向きに連結し、一方のケース構成部材を台座とし、他方のケース構成部材を容器部とする物入れとして利用できるようにしたことを特徴とする玩具等の物品収納用ケース。
【請求項８】
両ケース構成部材の外側に設けられた連結部のうち、一方のケース構成部材の連結部が雄部であり、他方のケース構成部材の連結部が前記雄部を嵌め込むことができる雌部であり、該雌部と前記雄部を脱着可能に連結できるようにしたことを特徴とする請求項７に記載の玩具等の物品収納用ケース。
【請求項９】
少なくとも一方のケース構成部材の外周に並列連結部が設けられ、該並列連結部を介して複数のケース構成部材を並列状に連結できるようにしたことを特徴とする請求項７又は８に記載の玩具等の物品収納用ケース。
【請求項１０】
並列連結部がケース構成部材の外周に連続的に設けられる凹凸部で構成され、該凹凸部はケース構成部材の中心軸と略平行な凸条と、該凸条間に形成される凹溝とからなるとともに、前記凸条のケース構成部材本体側を下辺とする横断面形状は上辺側よりも下辺側が幅狭であり、前記凹溝のケース構成部材本体側を下辺とする横断面形状は下辺側よりも上辺側が幅狭であり、且つ両横断面形状は略同一形状であること特徴とする請求項９に記載の玩具等の物品収納用ケース。
【請求項１１】
芳香剤又は消臭剤系の商品を収納するケースであり、一方のケース構成部材に複数の透孔及び／又は切欠部が形成されていることを特徴とする請求項７、８、９又は１０に記載の玩具等の物品収納用ケース。
【請求項１２】
ケース本体がプラスチックで構成されたことを特徴とする請求項１、２、３、４、５、６、７、８、９、１０又は１１に記載の玩具等の物品収納用ケース。
【請求項１３】
請求項１、２、３、４、５、６、７、８、９、１０、１１又は１２に記載の収納用ケース内に物品が収納されてなるカプセル体。
【請求項１４】
請求項１、２、３、４、５、６、７、８、９、１０、１１又は１２に記載の収納用ケースを構成する一方のケース構成部材内に、芳香剤又は消臭剤が収納・固定されてなる芳香又は消臭器具。
【発明の詳細な説明】
【０００１】
【発明が属する技術分野】
この発明は、小売店や自動販売機等で販売される玩具や菓子等の小型商品、芳香剤や消臭剤等の中型商品などを収納するためのカプセル状の収納用ケースに関する。
【０００２】
【従来の技術】
カプセル状のプラスチックケース（包装容器）に入れられた玩具やお菓子が、小売店の店頭やレストランのフロア等に設置された自動販売機で販売されている。この自動販売機は、通称“ガチャポン”と呼ばれて子供らに親しまれている。また、上記のような玩具や菓子は、小売店の店頭で直接販売されたり、或いは拡販品として利用される場合もある。また、芳香剤や消臭剤などの商品もカプセル状のプラスチックケースに入れられて販売される場合がある。
【０００３】
【発明が解決しようとする課題】
上記のプラスチックケース（カプセル）は、何の変哲もない球形状等のケースであるため利用価値がほとんどなく、このため多くの場合、中身の玩具などの商品が取り出された後は、捨てられているのが実情である。
したがって本発明の目的は、この種の物品収納用ケースであって、中身の玩具や菓子などの商品を取り出した後は、ブロック玩具或いは他の実用的な用途に利用することができる収納用ケースを提供することにある。
【０００４】
【課題を解決するための手段】
上記課題を解決するための本発明の特徴は以下のとおりである。
［１］  １対のケース構成部材を脱着可能に連結することによりケース本体が構成されるカプセル状のケースであって、
前記ケース本体の両端又は両側に直列連結部が設けられ、該直列連結部を介して複数のケースを直列状に連結できるようにしたことを特徴とする玩具等の物品収納用ケース。
［２］  １対のケース構成部材を脱着可能に連結することによりケース本体が構成されるカプセル状のケースであって、
前記ケース本体の外周に並列連結部が設けられ、該並列連結部を介して複数のケースを並列状に連結できるようにしたことを特徴とする玩具等の物品収納用ケース。
【０００５】
［３］  １対のケース構成部材を脱着可能に連結することによりケース本体が構成されるカプセル状のケースであって、
前記ケース本体の両端又は両側に直列連結部が設けられるとともに、ケース本体の外周に並列連結部が設けられ、前記直列連結部と並列連結部を介して複数のケースを直列状及び並列状に連結できるようにしたことを特徴とする玩具等の物品収納用ケース。
［４］  上記［１］又は［３］の物品収納用ケースにおいて、ケース本体の両端又は両側に設けられた直列連結部のうち、一方の直列連結部が雄部であり、他方の直列連結部が前記雄部を嵌め込むことができる雌部であり、該雌部と前記雄部を脱着可能に連結できるようにしたことを特徴とする玩具等の物品収納用ケース。
【０００６】
［５］  上記［４］の物品収納用ケースにおいて、雌部はケース構成部材に突設された環状部と、該環状部の内側に設けられる突起部と、該突起部の両側から１８０°反対向きに前記環状部の内面方向に延出する１対の係止用突片とを有し、該係止用突片の先端と前記環状部の内面との間には雄部側の環状部の一部を挿脱可能に嵌挿できる隙間を有するとともに、前記係止用突片とケース構成部材の本体との間には雄部側の係止用突片を挿脱可能に嵌挿できる隙間を有し、
雄部はケース構成部材に突設された環状部と、該環状部の１８０°対向した位置の環状部内側に設けられた１対の係止用突片とを有し、該係止用突片とケース構成部材の本体との間には、雌部側の係止用突片を挿脱可能に嵌挿できる隙間を有することを特徴とする玩具等の物品収納用ケース。
【０００７】
［６］  上記［２］〜［５］のいずれかの物品収納用ケースにおいて、並列連結部がケース本体の外周に連続的に設けられる凹凸部で構成され、該凹凸部はケース本体の中心軸と略平行な凸条と、該凸条間に形成される凹溝とからなるとともに、前記凸条のケース本体側を下辺とする横断面形状は上辺側よりも下辺側が幅狭であり、前記凹溝のケース本体側を下辺とする横断面形状は下辺側よりも上辺側が幅狭であり、且つ両横断面形状は略同一形状であることを特徴とする玩具等の物品収納用ケース。
［７］  １対のケース構成部材を脱着可能に連結することによりケース本体が構成されるカプセル状のケースであって、
両ケース構成部材の外側の略中央部には、互いを連結できる連結部が設けられ、該連結部を介して両ケース構成部材を逆向きに連結し、一方のケース構成部材を台座とし、他方のケース構成部材を容器部とする物入れとして利用できるようにしたことを特徴とする玩具等の物品収納用ケース。
【０００８】
［８］  上記［７］の物品収納用ケースにおいて、両ケース構成部材の外側に設けられた連結部のうち、一方のケース構成部材の連結部が雄部であり、他方のケース構成部材の連結部が前記雄部を嵌め込むことができる雌部であり、該雌部と前記雄部を脱着可能に連結できるようにしたことを特徴とする玩具等の物品収納用ケース。
［９］  上記［７］又は［８］の物品収納用ケースにおいて、少なくとも一方のケース構成部材の外周に並列連結部が設けられ、該並列連結部を介して複数のケース構成部材を並列状に連結できるようにしたことを特徴とする玩具等の物品収納用ケース。
【０００９】
［１０］  上記［９］の物品収納用ケースにおいて、並列連結部がケース構成部材の外周に連続的に設けられる凹凸部で構成され、該凹凸部はケース構成部材の中心軸と略平行な凸条と、該凸条間に形成される凹溝とからなるとともに、前記凸条のケース構成部材本体側を下辺とする横断面形状は上辺側よりも下辺側が幅狭であり、前記凹溝のケース構成部材本体側を下辺とする横断面形状は下辺側よりも上辺側が幅狭であり、且つ両横断面形状は略同一形状であること特徴とする玩具等の物品収納用ケース。
【００１０】
［１１］  上記［７］〜［１０］のいずれかの物品収納用ケースにおいて、芳香剤又は消臭剤系の商品を収納するケースであり、一方のケース構成部材に複数の透孔及び／又は切欠部が形成されていることを特徴とする玩具等の物品収納用ケース。
［１２］  上記［１］〜［１１］のいずれかの物品収納用ケースにおいて、ケース本体がプラスチックで構成されたことを特徴とする玩具等の物品収納用ケース。
［１３］  上記［１］〜［１２］のいずれかの収納用ケース内に物品が収納されてなるカプセル体。
［１４］  上記［１］〜［１２］のいずれかの収納用ケースを構成する一方のケース構成部材内に、芳香剤又は消臭剤が収納・固定されてなる芳香又は消臭器具。
【００１１】
【発明の実施の形態】
図１〜図７は、本発明の物品収納用ケースの一実施形態を示すもので、図１は１対のケース構成部材を分離した状態で示す斜視図、図２は１対のケース構成部材を連結した状態で示す縦断面図、図３は一方のケース構成部材を示す斜視図、図４は１対のケース構成部材の直列連結部を対向させた状態（収納用ケースを直列状に連結する直前の状態）を示す斜視図、図５は収納用ケース（ケース構成部材）を直列状及び並列状に連結した状態を示す斜視図、図６は並列連結部を構成する凹凸部の断面図、図７は収納用ケースを並列状に連結した際の並列連結部の断面図である。
【００１２】
図において、１は俵形状ないしは樽形状のケース本体であり、本実施形態では可撓性を有するプラスチック材で構成される。このケース本体１は長手方向で２分割され、その分割部材である１対のケース構成部材２ａ，２ｂを脱着可能に連結することにより構成される。図２に示すように、ケース構成部材２ａ，２ｂを脱着可能に連結するために、一方のケース構成部材２ａの開口端に近い内面側には周方向に沿って係止溝２０が設けられ、また、他方のケース構成部材２ｂの開口端に近い外面側には周方向に沿って突条２１が設けられており、ケース構成部材２ｂの開口端をケース構成部材２ａの開口端に嵌挿し、その突条２１を前記係止溝２０に係合させることにより、両ケース構成部材２ａ，２ｂが脱着可能に連結されるようにしてある。
前記ケース本体１の両端（すなわち、各ケース構成部材の２ａ，２ｂの開口端と反対側の端部）には、他の収納用ケースを直列状に連結するため直列連結部３が設けられている。本実施形態では、一方の直列連結部３が雄部４を、他方の直列連結部３が前記雄部４が嵌め込まれる雌部５をそれぞれ構成し、これら雄部４と雌部５とを脱着可能に連結する構造としてある。
【００１３】
前記雌部５は、ケース構成部材２ｂに突設された環状部７と、この環状部７の内側に設けられる短軸状又は短筒状の突起部８と、この突起部８の両側から１８０°反対向きに前記環状部７の内面方向に延出する１対の係止用突片９とを有している。この各係止用突片９は、前記突起部８から水平方向に突き出した板状体により構成され、その先端部は環状部７の内周面に沿うような円弧状に構成されている。各係止用突片９の先端と前記環状部７の内面との間には、雄部側の環状部（後述する環状部１２）の一部を挿脱可能に嵌挿できる隙間１０が設けられるとともに、各係止用突片９の下方（各係止用突片９とケース構成部材２ｂの本体との間）にも、雄部側の係止用突片（後述する係止用突片１３）を挿脱可能に嵌挿できる隙間１１が設けられている。
【００１４】
前記雄部４は、ケース構成部材２ａに突設された環状部１２と、この環状部１２の１８０°対向した位置の環状部内側に設けられた１対の係止用突片１３とを有している。前記環状部１２は、前記雌部５の環状部７の内側に嵌挿できる外径に構成されている。また、前記各係止用突片１３は、環状部１２の内側から水平方向に突き出した板状体により構成され、その先端部は環状部１２の内周面に沿うような円弧状に構成されている。各係止用突片１３の下方（各係止用突片１３とケース構成部材２ａの本体との間）には、雌部５側の前記係止用突片９を挿脱可能に嵌挿できる隙間１４が設けられている。
【００１５】
ケース本体１の長手方向略中央部の外周には並列連結部６が設けられ、この並列連結部６を介して複数の収納用ケースを並列状に連結できるような構造としてある。本実施形態では、並列連結部６はケース構成部材２ａの外周に連続的に設けられる凹凸部１５により構成されている。この凹凸部１５は、ケース本体１の中心軸と略平行な凸条１６と、この凸条１６間に形成される凹溝１７とからなっている。図６に示すように、前記凸条１６のケース本体側を下辺ｘ１とする横断面形状は、下辺ｘ１側が上辺ｙ１側よりも幅狭に、また、前記凹溝１７のケース本体側を下辺ｘ２とする横断面形状は、上辺ｙ２側が下辺ｘ２側よりも幅狭にそれぞれ構成されるとともに、両横断面形状は略同一の形状に構成されている。これにより凹溝１７に対して凸条１６を脱着可能に嵌挿することができるとともに、嵌挿された状態で両者が強固に連結されるようにしている。本実施形態では、前記凸条１６の横断面形状はケース本体側を上底とする台形状に、また、前記凹溝１７の横断面形状はケース本体側を下底とする台形状にそれぞれ構成されている。
【００１６】
本発明の収納用ケース内には玩具（例えば、ミニカー、ゴム製人形、キャラクターグッズなど）や菓子、或いは芳香剤や消臭剤などの商品が収納され、自動販売機において或いは小売店の店頭においてカプセル入り商品（例えば、カプセル玩具）として販売される。また、小売店の店頭等で販売される場合には、複数のカプセル入り商品を箱詰めして販売してもよい。
【００１７】
また、本発明の物品収納用ケースは、中身の玩具や菓子などを取り出した後は、例えば、ブロック玩具として利用できる。ブロック玩具として利用する場合、収納用ケースどうしを直列状に連結するには、一方の収納用ケースの雄部４を他方の収納用ケースの雌部５に嵌挿して雄部４と雌部５を連結する。具体的には、雄部４の１対の係止用突片１３が、周方向において雌部５の１対の係止用突片９と干渉しない位置において、雄部４の環状部１２を雌部５の環状部７の内側に嵌挿（この状態で環状部１２の一部は隙間１０に嵌挿する）した後、一方の収納用ケースを他方の収納用ケースに対して９０°回転させる。これにより、雄部４の係止用突片１３が雌部５側の隙間１１に、雌部５の係止用突片９が雄部４側の隙間１４にそれぞれ嵌挿して両係止用突片９，１４が噛み合った状態となり、雄部４と雌部５は強固に連結される。同様にして、任意の数の収納用ケースを直列状に次々と連結することができる。また、両収納用ケースの連結を解くには、上記操作を逆の順序で行えばよい。
【００１８】
また、収納用ケースどうしを並列的に連結するには、図７に示すように一方の収納用ケースの並列連結部６を構成する凹凸部１５のうちの任意の凸条１６を、他方の収納用ケースの並列連結部６を構成する凹凸部１５のうちの任意の凹溝１７に嵌挿するだけでよく、これにより両者は強固に連結される。各収納用ケースのケース本体１は全周に凹凸部１５が形成されているため、周方向の任意の位置で収納用ケースどうしを並列状に連結することが可能である。同様にして、任意の数の収納用ケースを並列状に連結することができ、また、図５に示すように、１つの収納用ケースに対して複数の収納用ケースを並列状に連結することもできる。
【００１９】
図５に示すように、本発明の収納用ケースは、直列連結部３と並列連結部６を利用して、ブロック玩具として任意な形態に組み立てて遊ぶことができる。
また、後述する図８〜図１３の実施形態と同様に、１つのケースを構成する両ケース構成部材２ａ，２ｂを、直列連結部３（雄部４及び雌部５）を介して逆向きに連結し（図４、図５参照）、一方のケース構成部材２ｂを台座とし、他方のケース構成部材２ａを容器部とする物入れ（小物入れ、植木鉢、花生け等）として利用してもよい。
【００２０】
なお、以上述べた実施形態は、ケース本体１が俵形状又は樽形状を有するものであるが、ケース本体の形状は任意であり、例えば、球形状、円柱や角柱などの柱形状、立方体形状などであってもよい。また、直列連結部３、並列連結部６の構造も上記実施形態のものに限定されるものではなく、任意の構造のものを採用できる。
また、本発明の収納用ケースは、直列連結部３、並列連結部６のいずれかのみを設けた構造としてもよい。
また、上記実施形態では収納用ケースをプラスチックにより構成したが、ケースの素材はプラスチックに限定されるものではなく、例えば、紙、金属、紙−プラスチック複合材など任意の素材で構成することができる。
【００２１】
図８〜図１３は、本発明の物品収納用ケースの他の実施形態を示すもので、図８は１対のケース構成部材を分離した状態で示す斜視図、図９は一方のケース構成部材の連結部の縦断面図、図１０は分離された１対のケース構成部材を逆向きにした状態で示す斜視図、図１１は１対のケース構成部材を互いの連結部を介して逆向きに連結した状態で示す斜視図、図１２は両ケース構成部材を連結した連結部の縦断面図、図１３は１対のケース構成部材を互いの連結部を介して逆向きに連結するととにも、一方のケース構成部材に並列連結部を介して他のケース構成部材を連結した状態を示す斜視図である。
なお、この実施形態の収納用ケース（包装容器）は、芳香剤や消臭剤系の物品（商品）用のケースとしてある。
【００２２】
図において、１０１は俵形状ないし樽形状或いは球形状のケース本体であり、可撓性を有するプラスチック材で構成される。このケース本体１０１は長手方向で２分割され、その分割部材である１対のケース構成部材１０２ａ，１０２ｂを脱着可能に連結することにより構成される。図８及び図１０に示すように、ケース構成部材１０２ａ，１０２ｂを脱着可能に連結するために、一方のケース構成部材１０２ｂの開口端に近い内面側には周方向に沿って係止溝１２０が設けられ、また、他方のケース構成部材１０２ａの開口端に近い外面側には周方向に沿って突条１２１が設けられており、ケース構成部材１０２ａの開口端をケース構成部材１０２ｂの開口端に嵌挿し、その突条１２１を前記係止溝１２０に係合させることにより、両ケース構成部材１０２ａ，１０２ｂが脱着可能に連結されるようにしてある。
また、芳香剤や消臭剤系の物品（商品）用のケースであるため、一方のケース構成部材１０２ｂには複数の透孔１２４が形成されるとともに、開口端の縁部に複数の切欠き部１２５が形成されている。
【００２３】
前記各ケース構成部材１０２ａ，１０２ｂの外側（開口端と反対側の外面）の略中央部には、互いを連結できる連結部１０３ａ，１０３ｂ（なお、この連結部１０３ａ，１０３ｂには他の収納用ケースを直列状に連結することもできる）が設けられている。本実施形態では、一方の連結部１０３ａが雄部を、他方の連結部１０３ｂが前記雄部が嵌め込まれる雌部をそれぞれ構成し、これら雄部と雌部とからなる連結部１０３ａ，１０３ｂを脱着可能に連結する構造としてある。
【００２４】
前記雌部である連結部１０３ｂは、ケース構成部材１０２ｂに形成された細長状の透孔１０５により構成されている。また、前記雄部である連結部１０３ａは、ケース構成部材１０２ａに突設された軸部１２２とこの軸部１２２の先端から両側に延出したアーム状の突片部１２３とから構成されている。本実施形態では、連結部１０３ａはケース構成部材１０２ｂの本体に対して脱着可能となっている。すなわち、ケース構成部材１０２ａの本体の外側には、雌ネジ部１２６が設けられるとともに、連結部１０３ａを構成する軸部１２２の下端部には雄ネジ部１２７が形成され、この雄ネジ部１２７を前記雌ネジ部１２６に装着することにより、連結部１０３ａが構成される。このように連結部１０３ａを脱着可能とするのは、収納用ケースの外側に連結部１０３ａのような突起部があると、機械内部で引っ掛かりなどのトラブルを生じやすいために自動販売機用として用いることができないためである。
連結部１０３ａを脱着可能とするための構造は任意であり、例えば、軸部１２２の少なくとも下端部を角柱状とするとともに、ケース構成部材１０２ａの本体の外側に断面角状の挿込孔を設け、軸部１２２の下端部をこの挿込孔に嵌挿させるような構造としてもよい。
なお、このような脱着可能な連結部１０３ａは、物品とともにケース本体内に収納しておけばよい。また、自動販売機用として用いない場合には、連結部１０３ａは固定式のものでもよい。
【００２５】
一方のケース構成部材１０２ａの開口端に近い外周には並列連結部１０６が設けられ、この並列連結部１０６を介して複数の収納用ケースまたはケース構成部材１０２ａを並列状に連結できるような構造としてある。本実施形態の並列連結部１０６は、図６と同様、ケース構成部材１０２ａの外周に連続的に設けられる凹凸部１１５により構成されている。すなわち、この凹凸部１１５は、ケース構成部材１０２ａの中心軸と略平行な凸条１１６と、この凸条１１６間に形成される凹溝１１７とからなっている。前記凸条１１６のケース構成部材本体側を下辺（図６の下辺ｘ１）とする横断面形状は、下辺側が上辺（図６の上辺ｙ１）側よりも幅狭に、また、前記凹溝１１７のケース構成部材本体側を下辺（図６の下辺ｘ２）とする横断面形状は、上辺（図６の上辺ｙ２）が下辺側よりも幅狭にそれぞれ構成されるとともに、両横断面形状は略同一の形状に構成されている。これにより凹溝１１７に対して凸条１１６を脱着可能に嵌挿することができるとともに、嵌挿された状態で両者が強固に連結されるようにしている。本実施形態では、前記凸条１１６の横断面形状はケース構成部材本体側を上底とする台形状に、また、前記凹溝１１７の横断面形状はケース構成部材本体側を下底とする台形状にそれぞれ構成されている。
【００２６】
先に述べたように本発明の収納用ケース内には種々の物品が収納され、自動販売機において或いは小売店の店頭において販売されるが、本実施形態の収納ケースは、例えば、芳香剤又は消臭剤系の商品が収納される。そして、収納用ケースから中身の商品を取り出した後は、例えば、次のようにして物入れ（小物入れ、植木鉢、花生け等）として利用することができる。すなわち、図１０に示すように両ケース構成部材１０２ａ，１０２ｂを逆向きにし、ケース構成部材１０２ａの連結部１０３ａ（軸部１２２及び突片部１２３）をケース構成部材１０２ｂの連結部１０３ｂ（透孔１０５）内に挿入した後、ケース構成部材１０２ａをケース構成部材１０２ｂに対して９０°回転させる。これにより、図１２に示すように、連結部１０３ａ構成する突片部１２３がケース構成部材１０２ｂの内側に係合し、ケース構成部材１０２ａ，１０２ｂは図１１に示すように連結される。そして、この状態で、一方のケース構成部材１０２ｂを台座とし、他方のケース構成部材１０２ａを容器部とする物入れとして利用できる。また、ケース構成部材１０２ｂには透孔１２４と切欠き部１２５が形成されているので、このケース構成部材１０２ｂ内に芳香剤又は消臭剤を入れておけば、透孔１２４と切欠き部１２５を通じて芳香剤の発散或いは消臭剤による消臭機能を果たすことができる。また、その場合、予めケース構成部材１０２ｂ内に芳香剤又は消臭剤を収納・固定しておけばよく、商品としてそのような構造の芳香又は消臭器具とすればよい。また、芳香剤又は消臭剤とともに、生花などを挿し込んで固定できる吸水性のスポンジ状部材（所謂オアシス）を収納しておき、収納用ケースを植木鉢や花生け等として使用する際の用に供するようにしてもよい。
また、図１３に示すように、ケース構成部材１０２ａに対して並列連結部１０６を介して他のケース構成部材１０２ａを連結するようにしてもよい。
【００２７】
また、本実施形態の収納用ケースは、図１〜図７に示す実施形態の収納ケースと同様に、連結部１０３ａ，１０３ｂ、並列連結部１０６を他の収納ケースの連結部と連結することにより、ブロック玩具として利用することもできる。
収納用ケースどうしを直列状に連結するには、上記両ケース構成部材１０２ａ，１０２ｂどうしを連結する場合と同様、一方の収納用ケースのケース構成部材１０２ａの連結部１０３ａ（軸部１２２及び突片部１２３）を、他方のケース構成部材１０２ｂの連結部１０３ｂ（透孔１０５）内に挿入した後、一方の収納用ケースを他方の収納ケースに対して９０°回転させればよい。これにより複数の収納用ケースを順次直列状に連結していくことができる。
【００２８】
また、収納用ケースどうし或いはケース構成部材１０２ａどうしを並列的に連結するには、図７と同様に、一方の収納用ケースの並列連結部１０６を構成する凹凸部１１５のうちの任意の凸条１１６を、他方の収納用ケースの並列連結部１０６を構成する凹凸部１１５のうちの任意の凹溝１１７に嵌挿するだけでよく、これにより両者は強固に連結される。各収納用ケースのケース構成部材１０２ａは全周に凹凸部１１５が形成されているため、周方向の任意の位置で収納用ケースどうしを並列状に連結することが可能である。同様にして、任意の数の収納用ケースを並列状に連結することができ、また、図５と同様に、１つの収納用ケースまたはケース構成部材１０２ａに対して複数の収納用ケースまたはケース構成部材１０２ａを並列状に連結することもできる。
したがって、図５と同様、本実施形態の収納用ケースも連結部１０３と並列連結部１０６を利用して、ブロック玩具として任意な形態に組み立てて遊ぶことができる。
【００２９】
なお、以上述べた実施形態は、ケース本体１０１が俵形状又は樽形状或いは球形状を有するものであるが、ケース本体の形状は任意であり、例えば、円柱や角柱などの柱形状、立方体形状などであってもよい。また、連結部１０３、並列連結部１０６の構造も上記実施形態のものに限定されるものではなく、任意の構造のものを採用できる。
また、上記実施形態では収納用ケースをプラスチックにより構成したが、ケースの素材はプラスチックに限定されるものではなく、例えば、紙、金属、紙−プラスチック複合材など任意の素材で構成することができる。
【００３０】
【発明の効果】
以上述べたように本発明の収納用ケースは、中身の物品を取り出した後はブロック玩具や物入れとして利用することができるので、この種のカプセル入り商品の商品価値を高めることができる。
【図面の簡単な説明】
【図１】本発明の一実施形態を、１対のケース構成部材を分離した状態で示す斜視図
【図２】本発明の一実施形態を、１対のケース構成部材を連結した状態で示す縦断面図
【図３】本発明の一実施形態の一方のケース構成部材を示す斜視図
【図４】本発明の一実施形態を、１対のケース構成部材の直列連結部を対向させた状態（ケースを直列状に連結する直前の状態）で示す斜視図
【図５】本発明の一実施形態の収納用ケース（ケース構成部材）を直列状及び並列状に連結した状態で示す斜視図
【図６】本発明の一実施形態の凹凸部の断面図
【図７】本発明の一実施形態の収納用ケースを並列状に連結した際の並列連結部の断面図
【図８】本発明の他の実施形態を、１対のケース構成部材を分離した状態で示す斜視図
【図９】本発明の他の実施形態の一方のケース構成部材の連結部の断面図
【図１０】本発明の他の実施形態を、分離された１対のケース構成部材を逆向きにした状態で示す斜視図
【図１１】本発明の他の実施形態を、１対のケース構成部材を互いの連結部を介して逆向きに連結した状態で示す斜視図
【図１２】本発明の他の実施形態のケース構成部材を連結した連結部の縦断面図
【図１３】本発明の他の実施形態を、１対のケース構成部材を互いの連結部を介して逆向きに連結するととにも、一方のケース構成部材に並列連結部を介して他のケース構成部材を連結した状態を示す斜視図
【符号の説明】
１…ケース本体、２ａ，２ｂ…ケース構成部材、３ａ，３ｂ…直列連結部、４…雄部、５…雌部、６…並列連結部、７…環状部、８…突起部、９…係止用突片、１０，１１…隙間、１２…環状部、１３…係止用突片、１４…隙間、１５…凹凸部、１６…凸条、１７…凹溝、２０…係止溝、２１…突条、１０１…ケース本体、１０２ａ，１０２ｂ…ケース構成部材、１０３ａ，１０３ｂ…連結部、１０５…透孔、１０６…並列連結部、１１５…凹凸部、１１６…凸条、１１７…凹溝、１２０…係止溝、１２１…突条、１２２…軸部、１２３…突片部、１２４…透孔、１２５…切欠き部、１２６…雌ネジ部、１２７…雄ネジ部
【図１】
2004149216.tif 000003
【図２】
2004149216.tif 000004
【図３】
2004149216.tif 000005
【図４】
2004149216.tif 000006
【図５】
2004149216.tif 000007
【図６】
2004149216.tif 000008
【図７】
2004149216.tif 000009
【図８】
2004149216.tif 000010
【図９】
2004149216.tif 000011
【図１０】
2004149216.tif 000012
【図１１】
2004149216.tif 000013
【図１２】
2004149216.tif 000014
【図１３】
2004149216.tif 000015